(57)【要約】【課題】日常の買い物にも適用可能にして利便性を向上させる。【解決手段】購入する品物を入力する入力手段（１）と、現在位置検出手段（２）と、少なくとも地点データが格納されている情報記憶手段（３）と、案内を行う出力手段（４）と、前記入力手段から入力された購入する品物のジャンルを検索する検索手段（５ａ）と、車両が駐車したときに、前記現在位置検出手段で検出した現在位置が購入する品物を扱うジャンルの店舗か否かを判断する判断手段（５ｃ）と、前記判断手段により購入する品物を扱うジャンルの店舗と判断したとき、購入する品物を出力手段へ出力する制御手段（５ｄ）とを備え、前記制御手段は、前記店舗を離れるとき買い忘れがないか否かの確認案内を行う。【選択図】        図１
2010122005.tif 000002
【特許請求の範囲】
【請求項１】
購入する品物を入力する入力手段と、
現在位置検出手段と、
少なくとも地点データが格納されている情報記憶手段と、
案内を行う出力手段と、
前記入力手段から入力された購入する品物のジャンルを検索する検索手段と、
車両が駐車したときに、前記現在位置検出手段で検出した現在位置が購入する品物を扱うジャンルの店舗か否かを判断する判断手段と、
前記判断手段により購入する品物を扱うジャンルの店舗と判断したとき、購入する品物を出力手段へ出力する制御手段とを備え、
前記制御手段は、前記店舗を離れるとき買い忘れがないか否かの確認案内を行うことを特徴とするナビゲーション装置。
【請求項２】
前記制御手段は、自宅に着いたとき全購入リストを表示して確認案内を行うことを特徴とするナビゲーション装置。
【請求項３】
前記制御手段は、購入期限が設定された購入する品物について、期限切迫の警告案内を行うことを特徴とする請求項１または２記載のナビゲーション装置。
【発明の詳細な説明】
【技術分野】
【０００１】
本発明は、買い忘れを防止する確認案内を行うナビゲーション装置に関する。
【背景技術】
【０００２】
従来、特定の場所における物品の在庫を検出し、検出された物品の在庫に従って購入すべき物品を特定し、特定した物品を購入すべき店舗を検索し、検索された店舗を経由地とした買い物経路を算出し、算出した買い物経路に沿って案内を行うようにした経路誘導装置が提案されている（特許文献１）。
【特許文献１】特開２００５−１７２７４３号公報
【発明の開示】
【発明が解決しようとする課題】
【０００３】
上記提案の経路誘導装置は、インターネットを介してサーバからユーザが情報を取得するという大がかりなシステムのため、日常の簡易な買い物に適用するのに適しているとは言えなかった。
【課題を解決するための手段】
【０００４】
本発明は上記課題を解決しようとするもので、日常の買い物にも適用可能にして利便性を向上させることを目的とする。
本発明は、購入する品物を入力する入力手段と、現在位置検出手段と、少なくとも地点データが格納されている情報記憶手段と、案内を行う出力手段と、前記入力手段から入力された購入する品物のジャンルを検索する検索手段と、車両が駐車したときに、前記現在位置検出手段で検出した現在位置が購入する品物を扱うジャンルの店舗か否かを判断する判断手段と、前記判断手段により購入する品物を扱うジャンルの店舗と判断したとき、購入する品物を出力手段へ出力する制御手段とを備え、前記制御手段は、前記店舗を離れるとき買い忘れがないか否かの確認案内を行うことを特徴とする。
【発明の効果】
【０００５】
本発明は、日常の買い物メモ代わりも用いることが可能であり、利便性を格段に向上させることができる。
【発明を実施するための最良の形態】
【０００６】
以下、本発明の実施の形態について説明する。
図１は本実施形態に係るナビゲーション装置の例を示すブロック図である。ナビゲーション装置や外部端末に備えられた押しボタン、キーボード等からなる入力装置１、ＧＰＳ（Global Positioning System ）等からなる現在位置検出装置２、各種物品のジャンルデータ、緯度・経度、高度、施設名称、施設のジャンル、住所、電話番号等の情報を有する地点データ、地図データ、案内用データ、その他ナビゲーション処理に必要なデータが格納された情報記憶装置３、案内情報を表示したり、音声案内を行う出力装置４、ユーザが入力した購入したい物品（品物）のジャンルを検索する検索手段５ａ、目的地までの経路を探索する経路探索手段５ｂ、立ち寄った地点が購入する品物を扱うジャンルの店舗か否かを判断する判断手段５ｃ、購入する品物を扱うジャンルの店舗において、購入すべき品物を案内したり、店舗を離れるとき買い忘れがないか否かの確認案内や自宅に着いたとき購入リストを表示して確認案内を行う制御手段５ｄを有していて装置全体を制御する制御装置５を備えている。
【０００７】
図２は情報記憶装置３に格納されている品物のジャンルデータの例を示す図である。
図示するように、例えば、野菜、魚・肉、ケーキ、醤油やソース等は食品、ビール、ウイスキー等は酒類、風邪薬、胃腸薬、消毒薬、殺虫剤等は薬品、電球、蛍光灯、電池、パソコン等は電気製品、被服類、下着類等は衣類、靴、スリッパ等は履き物、グラブ、ボール等は運動具、ノート、筆記具は文房具、本、地図、雑誌等は書物、切手、ハガキ等は郵便物、乾物、キャラメル等は雑貨のようにジャンルが定義されている。また、各ジャンルの品物を扱う店舗が、例えば、食品はスーパー、魚屋、八百屋、酒類は酒店、薬品は薬局、ドラッグストア、電気製品は電気店、衣類は衣装品店、デパート、履き物は靴屋、スーパー、運動具はスポーツ店、文房具は文房具店、書物は本屋、郵便物は郵便局、雑貨は雑貨店のように例示されている。なお、このジャンルの定義はこれに限定されるものではなく、また、ジャンルに対する店舗は例示しなくてもよい。
【０００８】
次に、品物を購入する際の案内処理について図３〜図６により説明する。
図３は案内処理フローを示す図、図４は購入する品物の入力例を示す図、図５、図６は案内画面を示す図である。
入力装置１によりユーザが購入したい品物をナビゲーション装置に入力する（ステップＳ１）。購入する品物を入力する場合に購入期限の入力欄があり、例えば、図４に示すように、購入する品物として、にんじん、ほうれんそう、牛肉、スリッパ、電池、年賀ハガキ、切手と入力し、例えば、年賀ハガキと切手については、当日でなくても何月何日までに購入すればよいのであれば、その期限を入力する。検索手段５ａは、情報記憶装置３に格納されている図２に示したジャンルデータから入力された品物のジャンルを検索する（ステップＳ２）。次いで、判断手段５ｃは車両が駐車して店に立ち寄ったか否かを、例えば一定時間以上停止したか否か、エンジンＯＦＦしたか否かで判断するとともに（ステップＳ３）、立ち寄った店が購入したい品物を扱っているジャンルの店か否か判断する（ステップＳ４）。この処理は、立ち寄ったと判断した位置は現在位置検出装置２で検出され、その位置の地点データ（施設データ）は情報記憶装置３に格納されており、この地点データからその施設（店）がどのような物を扱っている店であるか分かるので、購入したい品物を扱っている店か否かの判断ができる。立ち寄った店が購入したい品物を扱う店でない場合は、ステップＳ３に戻って処理を繰り返す。購入したい品物を扱う店である場合には、その店で購入すべき品物を案内する（ステップＳ５）。例えば、図５（ａ）に示すように、「この店で買う品物です」と案内して、にんじん、ほうれんそう、牛肉を表示し、さらに音声で案内してもよい。次いで、店を離れることをエンジンＯＮにより判断すると、買い忘れがないか確認案内する（ステップＳ６）。例えば、図５（ｂ）に示すように、「買い忘れはないですか？」と案内して、この店で買うべきにんじん、ほうれんそう、牛肉を表示し、さらには音声案内する。以上のような処理を各店で行い、自宅に着いたら全購入リストを表示して確認案内し（ステップＳ７）、処理を終了する。この確認案内は、例えば、図６に示すように、全購入リスト案内として、にんじん、ほうれんそう、牛肉、スリッパ、電池、年賀ハガキ、切手と全品物を案内する。なお、購入期限のある当日買わなくてもよい品物は除くようにしてもよい。ユーザはこれを見ることで買い忘れがないか否かを確認することができる。なお、購入期限のある年賀ハガキ、切手については、例えば、図７に示すように、購入期限が迫ってきたとき、「年賀ハガキの購入期日まであと３日です」のような注意を喚起する案内を行う。
【０００９】
なお、上記処理では、購入したい品物を扱っている店をジャンルデータと地点データとを突き合わせ、立ち寄った店が該当する店か否か判別しているが、これらの店を辿る経路は探索していない。したがって、ユーザが見当をつけて該当しそうな店に立ち寄ることになるが、購入したい品物を扱っている店をジャンルデータと地点データとを突き合わせて検索し、これらの店をつなぐ経路を探索して案内するようにしてもよい。この場合は、あらかじめ立ち寄る店が分かっているので、該当する店に近づいたら図５（ａ）に示したような購入すべき品物を案内し、店を離れるときに図５（ｂ）に示したような買い忘れがないか否かの確認案内を行い、このような処理をルート上の最後の店まで行って、最後の店を出るときに図６に示したような全購入リスト案内を行えばよい。そして、買い忘れがある場合には、全購入リストから買い忘れた品物を選択し、当該品物を扱っている店のデータが探索データとして残っていればそのデータを使用し、残っていなければ当該品物のジャンルと地点データとからその品物を扱っている店を検索し、当該店までの経路を探索して案内すればよい。
【図面の簡単な説明】
【００１０】
【図１】ナビゲーション装置の例を示すブロック図である。
【図２】品物のジャンルデータの例を示す図である。
【図３】案内処理フローを示す図である。
【図４】購入する品物の入力例を示す図である。
【図５】案内画面を示す図である。
【図６】案内画面を示す図である。
【図７】購入期限の注意喚起の案内画面を示す図である。
【符号の説明】
【００１１】
１…入力装置、２…現在位置検出装置、３…情報記憶装置、４…出力装置、５…制御装置、５ａ…検索手段、５ｂ…経路探索装置、５ｃ…判断手段、５ｄ…制御手段。
【図１】
2010122005.tif 000003
【図２】
2010122005.tif 000004
【図３】
2010122005.tif 000005
【図４】
2010122005.tif 000006
【図５】
2010122005.tif 000007
【図６】
2010122005.tif 000008
【図７】
2010122005.tif 000009